(57)【特許請求の範囲】
【請求項１】
映像を表示するディスプレイと、光を一面側から他面側に透過させて結像させる機能を有する平板状のマイクロミラーアレイと、これらディスプレイとマイクロミラーアレイを収容する筐体とを備え、上記筐体の底部の前方に隣接する載置板の上面に、シート状の情報表示体が載置され、上記ディスプレイに表示された、情報表示体に関連する映像情報を、この情報表示体の上に表示する情報表示装置であって、上記マイクロミラーアレイが、上記情報表示体に対峙する筐体の前面に、マイクロミラーアレイの下端を揺動の基点として、その上部が上記情報表示体側に向かって角度βで傾く前傾状態で配設され、その前傾の角度βが、情報表示体の載置面に垂直な面に対して３０°以下に設定され、上記ディスプレイは、その表示面と上記マイクロミラーアレイの光透過面とのなす角度αが３０°以上９０°未満となる筐体内部の所定位置に取り付けられ、このディスプレイの表示面に表示された上記映像情報が、上記前面に配設されたマイクロミラーアレイを透して、上記情報表示体の上の空間に浮かんだ状態で投影されるようになっていることを特徴とする情報表示装置。
【請求項２】
上記シート状の情報表示体が、料理メニューを記載した献立表であり、この献立表の上に投影される映像情報が、上記料理メニューに関する料理映像である請求項１記載の情報表示装置。
【発明の詳細な説明】
【技術分野】
【０００１】
本発明は、所定の面上に載置した献立表等のシート状情報表示体の上に、情報表示体に関連する映像情報を投影することのできる情報表示装置に関するものである。
【背景技術】
【０００２】
従来、立体像を含む画像を表示する画像表示面（液晶表示パネル等）の手前側（鑑賞者側）に、この表示面から離間して、空間に上記画像を結像する画像伝達パネル（結像光学素子）を配置した画像表示装置が知られている（例えば、特許文献１を参照。）。
【０００３】
この画像表示装置は、上記画像表示面に平行して離間する位置に、両面にマトリクス状に互いに隣接して配列された複数の凸レンズ（単位光学素子）を備える一対のマイクロレンズアレイ（結像光学素子）が配設されており、このマイクロレンズアレイの結像作用により、上記結像光学素子の素子面に対して表示面とは反対側の位置、すなわち上記マイクロレンズアレイの前方の空間に、上記画像の正立等倍像を投影（結像）させることができるというものである。
【先行技術文献】
【特許文献】
【０００４】
【特許文献１】特開２００３−９８４７９号公報
【発明の概要】
【発明が解決しようとする課題】
【０００５】
ところで、飲食等を提供するレストランや料理店等においては、通常、顧客用に、料理や飲み物あるいはセットメニュー（コース料理）等に関する、料理リスト等の「献立表」が用意されており、料理や飲み物等の注文は、これらを見ながら行われる。そのため、上記料理店等のなかには、献立やメニュー等に記載された料理に関するモデル写真や映像等を表示して、印象深い料理説明や丁寧な接客につなげ、他店との差別化を図りたいという要望を持つところも多い。
【０００６】
そこで、前記画像表示装置やそれに類する装置を用いて、食卓（テーブル）に着座する顧客に対し、献立やメニュー等に記載された料理に関するモデル写真や映像等を表示しようとする試みがある。しかしながら、前記従来の方式では、鑑賞者（顧客）は、上記マイクロレンズアレイの前方の空間に投影された映像（空間像）を鑑賞しようとする場合、この空間像を、画像表示装置の手前側である「マイクロレンズアレイの正面側」から覗き込むような形になるため、顧客の視野内に、その装置のフレーム等が大きく入ってしまい、立体感や臨場感，高級感等が得られにくいという問題がある。また、上記装置は、店内の食卓上で使用するには大仕掛けで、コンパクト性，可搬性に欠けるという欠点がある。
【０００７】
本発明は、このような事情に鑑みなされたもので、装置前方に載置したシート状の情報表示体の上方に、その情報表示体に関連する二次元映像を立体的に投影することのできる、コンパクトな情報表示装置の提供をその目的とする。
【課題を解決するための手段】
【０００８】
上記の目的を達成するため、本発明は、映像を表示するディスプレイと、光を一面側から他面側に透過させて結像させる機能を有する平板状のマイクロミラーアレイと、これらディスプレイとマイクロミラーアレイを収容する筐体とを備え、上記筐体の底部の前方に隣接する載置板の上面に、シート状の情報表示体が載置され、上記ディスプレイに表示された、情報表示体に関連する映像情報を、この情報表示体の上に表示する情報表示装置であって、上記マイクロミラーアレイが、上記情報表示体に対峙する筐体の前面に、マイクロミラーアレイの下端を揺動の基点として、その上部が上記情報表示体側に向かって角度βで傾く前傾状態で配設され、その前傾の角度βが、情報表示体の載置面に垂直な面に対して３０°以下に設定され、上記ディスプレイは、その表示面と上記マイクロミラーアレイの光透過面とのなす角度αが３０°以上９０°未満となる筐体内部の所定位置に取り付けられ、このディスプレイの表示面に表示された上記映像情報が、上記前面に配設されたマイクロミラーアレイを透して、上記情報表示体の上の空間に浮かんだ状態で投影されるようになっている情報表示装置を、第１の要旨とする。
【０００９】
また、本発明は、上記情報表示装置のなかでも、特に、上記シート状の情報表示体が、料理メニューを記載した献立表であり、この献立表の上に投影される映像情報が、上記料理メニューに関する料理映像である情報表示装置を、第２の要旨とする。
【００１０】
すなわち、本発明者は、前記課題を解決するため研究を重ね、その結果、映像を結像させる光学素子に「マイクロミラーアレイ」（２面コーナーリフレクタアレイ）を用いて、ディスプレイから空間像に至る経路（光路）を折り曲げて構成することにより、従来のマイクロレンズアレイ（直線型の光路）では難しかった、コンパクトな構成の表示装置を開発することに成功した。そして、これを、なるべく、マイクロミラーアレイ自体を顧客に意識させない（アレイ自体が視野に入りにくい）配置とすることにより、映像を顧客側から見易くして、この映像の立体感や臨場感等を大幅に向上させることが可能であることを見出した。
【００１１】
なお、本発明においては、上記情報表示装置を鑑賞する顧客側であって、上記情報表示体に関連する映像情報（空間像）が投影される側を、本装置の「前方」または「前側」（顧客または鑑賞者から見て手前側）と呼ぶ。また、上記マイクロミラーアレイ全体が、情報表示体の載置面（食卓上においてはその上面）に垂直な面（図中では垂線Ｖで表示）に沿った垂直（鉛直）な状態を「起立状態」と呼び、上記マイクロミラーアレイ全体が、情報表示体の載置面に垂直な面（図中の垂線Ｖ）から、情報表示体側（顧客側）である「前方」に傾く状態を、「前傾状態」（前傾角度βで傾く前傾姿勢）として表し、逆に、上記マイクロミラーアレイの上端が、情報表示体（顧客）から離れる側である「後方」（奥側）に傾く状態を、「後傾状態」（後傾角度γで傾く後傾姿勢）として表示する。なお、上記起立状態は、前傾角度βが０°（零度）の場合と、後傾角度γが０°（零度）の場合とを含む。
【発明の効果】
【００１２】
本発明の情報表示装置は、結像機能を有する平板状のマイクロミラーアレイが、筐体の前方に載置されたシート状情報表示体に対峙する筐体の前面（前側側面）に、このシート状情報表示体の載置面に対して所定の傾斜角度β（３０°以下）で傾いた前傾状態で配設され、これに対応するディスプレイが、その表示面と上記マイクロミラーアレイの光透過面（表面または素子面）とのなす角度が所定の角度α（３０°以上９０°未満）となるように配設されている。これにより、上記情報表示装置は、上記ディスプレイの表示面に表示された映像が、上記マイクロミラーアレイを透過して、上記情報表示体の上方の空間に浮かんだ状態で投影される。したがって、本発明の情報表示装置は、上記情報表示体に関連する二次元の映像情報を、この情報表示体に記載された文字や画像等の情報（記載情報）の上に被るように、立体的に表示することができる。
【００１３】
しかも、上記情報表示体の上方の空間に浮かんだ状態で表示された立体的映像情報（空間像）は、この空間像を透かして、下側の情報表示体表面の記載情報と同時に見ることができる。したがって、本発明の情報表示装置は、上記情報表示体に関連する情報量が増えるだけでなく、その表示情報を、印象に残る、興味深いものとすることができる。
【００１４】
また、上記マイクロミラーアレイが、上記情報表示体に対峙する筐体の前面に、上記情報表示体の載置面に対して垂直な起立状態で配設され、この起立状態のマイクロミラーアレイの光透過面と上記ディスプレイの表示面とのなす角度αが、３０°以上９０°未満に設定されている情報表示装置は、上記情報表示体に関連する立体的映像情報（空間像）を、上記情報表示体の記載情報に重なるようにして、鮮明に表示することができる。
【００１５】
さらに、本発明の情報表示装置は、特に、上記マイクロミラーアレイが、上記情報表示体に対峙する筐体の前面に、マイクロミラーアレイの下端を揺動の基点として、その上部が上記情報表示体側に向かって角度βで傾く前傾状態で配設され、上記前傾の角度βが、情報表示体の載置面に垂直な面に対して３０°以下（βが０°の起立状態を除く）に設定され、この前傾状態のマイクロミラーアレイの光透過面と上記ディスプレイの表示面とのなす角度αが、３０°以上９０°未満に設定されている。そのため、上記情報表示体に関連する立体的映像情報（空間像）を、上記情報表示体の表面により近い位置に、情報表示体の記載情報に重なるようにして表示することができる。しかも、上記マイクロミラーアレイが、その上端が情報表示体に向かって前傾する側（すなわち、その上端が顧客または鑑賞者に近づく側）に傾斜して配置されていることから、このマイクロミラーアレイは、顧客の目障りになりにくく、知覚されにくい状態になっている。したがって、上記空間像を眺める顧客は、この装置を意識することなく、上記空間像の立体感や臨場感が向上する。
【００１６】
また、上記マイクロミラーアレイが、上記情報表示体に対峙する筐体の前面に、マイクロミラーアレイの下端を揺動の基点として、その上部が上記情報表示体側とは反対側の後側に向かって角度γで傾く後傾状態で配設され、上記後傾の角度γが、情報表示体の載置面に垂直な面に対して６０°以下（γが０°の起立状態を除く）に設定され、この後傾状態のマイクロミラーアレイの光透過面と上記ディスプレイの表示面とのなす角度αが、３０°以上９０°未満に設定されている情報表示装置は、上記と同様、情報表示体に関連する立体的映像情報（空間像）を、この情報表示体の記載情報に重なるようにして、鮮明に表示することができる。
【００１７】
そして、本発明の情報表示装置のなかでも、特に、上記シート状の情報表示体が、料理メニューを記載した献立表であり、この献立表の上に投影される映像情報が、上記料理メニューに関する料理映像であるものは、飲食等を提供するレストランや料理店等に向けて最適化されたものであり、食卓（テーブル）上に載置された献立表の上に、その献立表に記載された料理に関するモデル写真や映像等を表示して、印象深い料理説明や丁寧な接客につなげ、他店との差別化を実現することができる。
【図面の簡単な説明】
【００１８】
【図１】本発明の第１実施形態の情報表示装置の構成を示す断面図である。
【図２】上記第１実施形態の情報表示装置の使用状態を説明する斜視図である。
【図３】本発明の第２実施形態の情報表示装置の使用状態を説明する斜視図である。
【図４】本発明の第３実施形態の情報表示装置の構成を示す断面図である。
【図５】上記第３実施形態の情報表示装置の使用状態を説明する斜視図である。
【図６】本発明の第４実施形態の情報表示装置の構成を示す断面図である。
【図７】上記第４実施形態の情報表示装置の使用状態を説明する斜視図である。
【図８】本発明の実施形態の情報表示装置で用いられているマイクロミラーアレイの一構成例を説明する図であり、（ａ）は重ねる前の２枚の光学素子基板（単体）を、（ｂ）は重ねた後のアレイを示す図である。
【図９】（ａ），（ｂ），（ｃ）は、それぞれ本発明の実施形態の情報表示装置で用いられているマイクロミラーアレイの他の構成例を説明する図である。
【発明を実施するための形態】
【００１９】
つぎに、本発明の実施の形態を、図面にもとづいて詳しく説明する。ただし、本発明は、この実施の形態に限定されるものではない。また、各図における画像Ｉと空間像Ｉ’は、実際にはない厚みを誇張して描いており、ディスプレイから発せられる光の透過の様子（光路または光線）を、矢印付きの二点鎖線で示している。
【００２０】
図１，図２に示す、第１実施形態の情報表示装置は、レストランや料理店等の食卓（テーブル）上において、この食卓上に配置した料理リスト，メニューリスト等の献立表Ｓ（二点鎖線で表示）の上方に、その献立表Ｓに関する料理モデルの映像（空間像Ｉ'）を立体的に投影するための「メニュー情報表示装置」である。なお、上記情報表示装置における、献立表Ｓが載置される側（すなわち、空間像Ｉ'が投影される側であり、図１においては図示右方、図２においては図示左方を指す）を、装置の「前方」（前側または手前側）と呼ぶ。
【００２１】
この情報表示装置は、映像（画像Ｉ）を表示するフラットパネルディスプレイ（ディスプレイＤ）と、光を一面側から他面側に透過させて結像させる機能を有する平板状のマイクロミラーアレイＭ（以下、単に「アレイ」と略すこともある）と、これらディスプレイＤとアレイＭを収容する筐体１０とからなり、この筐体１０の底部１０ｂの装置前方に配置されたガイドプレート１１の上に、上記メニューリスト等の献立表Ｓが載置されるようになっている。
【００２２】
そして、上記情報表示装置は、上記献立表Ｓに対峙する側の、筐体１０の前側側面１０ｃに光透過状に取り付けられたマイクロミラーアレイＭが、献立表Ｓに垂直な面（垂線Ｖ：点線）に対して、前方に所定の角度βだけ傾いた状態（前傾状態）で配置され、これに連携するディスプレイＤは、筐体１０の天面（上面１０ａ）の内面側に取り付けられ、上記傾斜状のアレイＭの光透過面（素子面Ｐ：一点鎖線）に対して、所定の角度αで斜め状に対峙するように配置されている。
【００２３】
この構成により、上記情報表示装置は、図１のように、ディスプレイＤの表示面Ｄａ上に表示された映像（画像Ｉ）が、マイクロミラーアレイＭを透して、上記献立表Ｓの上方の空間に浮かぶ、立体的な空間像Ｉ'として表示される。すなわち、本実施形態の情報表示装置は、図２に示すように、上記献立表Ｓに関する料理映像（画像Ｉ）を、この献立表Ｓに記載された文字等の情報（記載情報）の上に重なるように、半透過状（半透明状）に投影することができる。これが、本発明の情報表示装置の特徴である。
【００２４】
上記情報表示装置を構成する各部材を詳しく説明すると、結像機能を有するマイクロミラーアレイＭは、図８（ａ）に示すように、その表面に、互いに平行な複数本の直線状溝が所定の間隔で形成された２枚の光学素子（基板１，１’）を、一方を他方に対して水平に９０°回転させた状態で重ねて形成されている〔図８（ｂ）を参照。なお、アレイの詳細構造は後述する〕。
【００２５】
そして、上記マイクロミラーアレイＭは、図２のように、献立表Ｓに対峙する筐体１０前面の前側側面１０ｃに設けられた、窓状の開口１０ｄ部分に、この開口１０ｄを通して映像を透過できるように取り付けられている。なお、上記筐体１０の前側側面１０ｃおよびそれに取り付けられたマイクロミラーアレイＭは、上記ガイドプレート１１およびその上に載置された献立表Ｓに垂直な面（垂線Ｖ：点線）に対して、所定の角度β（図１の場合は２０°）傾けて配設されており、図１のように、上記献立表Ｓの真上に空間像Ｉ'が重なって表示されるようになっている。また、上記前傾角度βは、上記空間像Ｉ'の献立表Ｓに対する重なりと、マイクロミラーアレイＭ自体を顧客から見えにくくする（隠す）効果を考慮して、通常、献立表Ｓ側（顧客側）に０°を超え３０°以下、好適には１０°以上２５°以下に、傾斜するよう設定される。（前傾角度βが０°の「起立状態」は、後記の実施形態で説明する。）
【００２６】
一方、ディスプレイＤは、筐体１０の天面（上面１０ａ）の内面側に取り付けられており、このディスプレイＤの表示面ＤａとマイクロミラーアレイＭの光透過面（素子面Ｐ）とのなす角度αが、３０°以上９０°未満（図１の場合は７０°）になるように配置されている。なお、上記角度αが０〜３０°の場合は、ディスプレイＤの光がマイクロミラーアレイＭに充分に届かず、空間像Ｉ'の輝度と鮮明度が低下する（０°以下または９０°以上は、光がアレイに届かず投影不能である）。
【００２７】
上記映像（画像Ｉ）の表示に用いるフラットパネルディスプレイ（ディスプレイＤ）としては、バックライトを備える液晶表示パネル（ＬＣＤ）の他、プラズマディスプレイパネル，有機ＥＬ表示パネル等、全可視光波長にわたってなるべく偏りのない「白色」と、非表示時の「黒色」とを、コントラスト良く再現できるディスプレイパネルを使用することが望ましい。さらに、ディスプレイＤは、携帯電話または携帯情報端末等の表示部であってもよく、具体的には、上記ディスプレイＤとして、スマートフォン，タブレット型ＰＣ，デジタルフォトフレームや、携帯型ゲーム機，携帯型ブックリーダー，ＰＤＡ，電子辞書等のうち、表示部（表示面Ｄａ）が常時露出する（カバーされていない）タイプのなかで、その表示面Ｄａの寸法が、上記マイクロミラーアレイＭの大きさ（平面形状）に対応するサイズのものを使用することができる。
【００２８】
また、上記マイクロミラーアレイＭおよびディスプレイＤを収容する筐体１０は、紙，プラスチック，金属等、特に材質は限定されないが、可搬性や耐熱性，耐久性等を考慮して、好ましくは樹脂成形品が用いられる。その形状としては、例えば図１の第１実施形態では、マイクロミラーアレイＭが配設される前側側面１０ｃと、ディスプレイＤが配設される天面（上面１０ａ）とは、その位置，形状，角度等の配置が設計段階から規定されるが、他の側面や装置底面１０ｂは適宜な形状でよく、また、他の側部や底部が無い構造としても差し支えない。さらに底面１０ｂを装置前方に延長して、上記ガイドプレート１１を兼用（一体化）するようにしてもよい。ただし、情報表示装置の特性上、筐体１０の形状や色（見栄え）は、空間像Ｉ’や献立表Ｓより目立たないことが望まれる。
【００２９】
さらにまた、献立表Ｓの載置場所（領域）を案内するガイドプレート１１は、本実施形態における板状体（１１）の他に、後記の図５（第３実施形態）で示す、内部に書面や用紙を嵌め入れることのできる枠状体（ガイドフレーム２１）等としてもよく、図３（第２実施形態）のように、特にプレート等を設置せず、食卓板上の領域（二点鎖線）を設定するだけでも差し支えない。その場合、載置領域の目安として、食卓面上のマーク，サインや柄等を利用してもよい。
【００３０】
また、上記第１実施形態（図２）では、大きめの献立表Ｓ（二点鎖線参照）を折り曲げてガイドプレート１１上に載置したため、筐体１０前面の開口１０ｄ（アレイＭ）を塞がないように、この開口１０ｄ（アレイＭ）に対応する位置に、映像を透過させるための開口部（図２では略六角形状）を設けたが、このような映像を透過させるための開口は、献立表Ｓが上記筐体１０の開口１０ｄを覆わない場合は、設ける必要はない。また、上記献立表Ｓに代えて、各種情報が記載されたシート状の情報表示体や書面、用紙等を載置してもよい。
【００３１】
上記情報表示装置によれば、献立表Ｓの上方の空間に浮かんだ状態で表示される空間像Ｉ’を透かして、その下側の献立表Ｓ上の記載情報を同時に見ることができる。したがって、本実施形態の情報表示装置（メニュー情報表示装置）は、上記献立に関連する料理映像を、空間像Ｉ'として顧客に提示して見せることは勿論、上記空間像Ｉ'から受ける刺激による相乗効果によって、提供する料理等を、顧客の印象に残る、興味深いものとすることができる。
【００３２】
つぎに、図３は、本発明の第２実施形態の情報表示装置の構成を示す図である。なお、情報表示装置本体は、第１実施形態と同じ構成であるため、詳細な説明を省略する。
【００３３】
この第２実施形態の情報表示装置は、先にも述べたように、献立表Ｓの載置予定場所（領域）を案内するガイドプレート１１やガイドフレーム２１等がなく、食卓（テーブル）の天板上面上に、その領域を示す仮想領域（二点鎖線）だけが設定されている。そのため、この装置は可搬性が高く、例えばこの装置を携帯または移動させて、様々な情報が記載された、色々な大きさ・形状の書面や用紙等の上に、それに関連する映像情報を投影・表示する「デジタルサイネージ」として利用することができる。また、レストランや料理店等の店内においては、食卓上での利用以外に、店頭や店舗の出入り口付近，空席待ちコーナー等に設置して使用することもできる。
【００３４】
つぎに、図４と図５に、本発明の第３実施形態の情報表示装置の構成を示す。
この情報表示装置も、前記第１実施形態と同様、献立表Ｓ（二点鎖線で表示）の上方に、その献立表Ｓに関する料理モデルの映像（空間像Ｉ'）を投影する表示装置である。なお、第１実施形態と同様の機能を有する構成部材には同じ符号を付して、その詳細な説明を省略する。また、先にも述べたように、図中の符号２１は、献立表Ｓの載置場所（領域）を案内するガイドフレームである。
【００３５】
上記第３実施形態が、前記第１実施形態の情報表示装置と最も異なる点は、図４に示すように、筐体２０の前側側面２０ｃに配置されたマイクロミラーアレイＭが、ガイドフレーム２１内（食卓面上）に載置された献立表Ｓに垂直な面（垂線）に沿った「起立状態」（前傾角度β，後傾角度γがともに０°）に設定されている点である。
【００３６】
なお、筐体２０の天面（上面２０ａ）の内面側に取り付けられたディスプレイＤの表示面Ｄａと、マイクロミラーアレイＭの光透過面（素子面Ｐ）とのなす角度αは、第１実施形態と同様、３０°以上９０°未満（図４の場合は６０°）になるように設計されている。また、上記筐体２０の前側側面２０ｃと上面２０ａとを除く、他の側面や装置底面２０ｂは適宜な形状でよく、これら他の側部や底部が無い構造としてもよい点も、第１実施形態と同じである。
【００３７】
上記構成の第３実施形態の情報表示装置によれば、献立表Ｓに関する映像（画像Ｉ）を、この献立表Ｓ上に記載された記載情報の上に重なるように、立体的に投影することができる。しかも、この情報表示装置は、上記マイクロミラーアレイＭが、献立表Ｓに対して垂直に立設されているため、このマイクロミラーアレイＭは、食卓に着座する顧客から視認されにくく、ほとんど意識されない。したがって、本実施形態の情報表示装置は、顧客がこのアレイＭの存在が目障りになることなく、空間像Ｉ’の立体感や臨場感がいっそう強調され、上記料理映像がより印象深いものとなる。
【００３８】
つぎに、本発明の第４実施形態の情報表示装置の構成を、図６と図７に示す。
この情報表示装置が、前記第１〜第３実施形態の情報表示装置と異なる点は、筐体３０の前側側面３０ｃに取り付けられたマイクロミラーアレイＭが、ガイドプレート３１上に載置された献立表Ｓに垂直な面（垂線：点線）に対して、顧客（鑑賞者）とは反対側の、後方（奥側）に倒れる後傾状態（角度γ）に配置されている点である。なお、上記の場合、マイクロミラーアレイＭが上記献立表Ｓの載置面に垂直な面（垂線Ｖ：点線）に対して傾く角度γは、顧客から見え易さを考慮して、通常、献立表Ｓ側（顧客側）とは反対側の奥側に０°を超え６０°以下、好適には１０°以上５０°以下に設定される（図６の場合は３０°）。
【００３９】
また、筐体３０の奥側側面３０ａに取り付けられたディスプレイＤの表示面Ｄａと、マイクロミラーアレイＭの光透過面（素子面Ｐ）とのなす角度αは、３０°以上９０°未満（図６の場合は６０°）になるように設計されている。なお、上記筐体３０の前側側面３０ｃと奥側側面３０ａとを除く、他の側面や装置天面，装置底面３０ｂは適宜な形状でよく、これら他の側部や、天部，底部が無い構造としてもよい。
【００４０】
以上の構成によっても、献立表Ｓとの距離はやや離れるものの、この献立表Ｓの記載情報に関する料理映像（空間像Ｉ'）を、献立表Ｓの上方の空間に浮かんだ状態で表示・投影することができる。
【００４１】
なお、上記一連の実施形態では、情報を表示するシート状の情報表示体として「献立表」を用い、投影する映像情報として「料理メニューに関する料理映像」を使用したものであるが、本発明はこれに限るものではなく、各種情報が記載された、シート状，フィルム状，紙状等の情報表示体や、書面、用紙等を載置して、それに関連する映像情報を投影するようにしてもよい。
【００４２】
つぎに、上記各実施形態の情報表示装置で用いられる、マイクロミラーアレイについて説明する。
【００４３】
結像機能を有するマイクロミラーアレイＭ１〜Ｍ３は、図８（ａ）に示すように、アクリルやガラス等からなる透明な基板の表面に、回転刃を用いたダイシング加工により、互いに平行な複数本の直線状溝が所定の間隔で形成された２枚の光学素子〔単体、図８（ａ）における上下それぞれ〕を、各光学素子の直線状溝の延びる方向が平面視互いに直交するように、下記（Ｘ）〜（Ｚ）のいずれかの態様にて重ね合わせた状態で一組として構成されている。
（Ｘ）各光学素子における直線状溝が形成されたおもて面どうしが当接した態様。〔図８参照〕
（Ｙ）一方の光学素子の直線状溝が形成されたおもて面と、他方の光学素子の溝が形成されていない裏面とが当接した態様。〔図９（ａ）参照〕
（Ｚ）各光学素子における溝が形成されていない裏面どうしが当接した態様。〔図９（ｂ）参照〕
【００４４】
また、図９（ｃ）に示すマイクロミラーアレイＭ４は、光学素子を構成する１枚の透明な平板状基板の一方の面と反対側の他方の面のそれぞれに、回転刃を用いたダイシング加工により、互いに平行な複数本の直線状溝が、おもて面側の直線状溝と裏面側の直線状溝とが平面視互いに直交するように、所定の間隔で形成されている。
【００４５】
各マイクロミラーアレイの構造について、図８のマイクロミラーアレイＭ１を例に説明すると、上記図８（ｂ）に示すマイクロミラーアレイＭ１は、図８（ａ）に示す光学素子（１，１’）を重ねて構成されている。各光学素子を構成する基板１，１’（溝１ｇ，１’ｇ形成前の基板）は、直線状の溝１ｇ，１’ｇを彫り込み加工するための基体であり、例えばガラスやアクリル樹脂等、可視光の透過率が８０％以上の材料から形成されている。
【００４６】
この基板１，１’は、通常、一定の厚みを有する硬質な板状（厚さ０．５〜１０．０ｍｍ程度）で、その上面（おもて面１ａ，１’ａ）に、ダイシング加工により、上記直線状の各溝１ｇ，１’ｇが彫り込み形成される。上記直線状の溝１ｇとそれに隣接する溝１ｇとの間の、溝が彫り込み形成されなかった基板表面部分は、隣接する溝の形成により、基板１，１' の一面に向けて突出する凸部（凸条部または凸条部位）となっている。また、上記各溝１ｇ，１’ｇの彫り込みが到達していない平板状部位（裏面１ｂ，１’ｂ側の板状部）は、各溝１ｇ，１’ｇの間に彫り残して形成される上記凸条部の支持基台となっている。
【００４７】
なお、上記基板１，１’上の溝１ｇ，１’ｇは、ダイシング加工機等の回転刃（切削加工）により形成されるもので、基板１，１’の加工対象面（おもて面）に、一方向に所定の間隔（ピッチ）で、かつ、互いに平行になるように形成されている。そして、これらの溝１ｇ，１’ｇを構成する側面（壁面）は、上記回転刃を用いたダイシング加工により形成されるため、光反射性の垂直面（鏡面）に形成されている。
【００４８】
また、ダイシングブレード等を用いた彫り込み加工により得られる溝１ｇ，１’ｇは、上記ブレードの厚さ（回転刃端面間の全厚）にもよるが、通常、０．０１５ｍｍ（１５μｍ）〜０．３ｍｍ（３００μｍ）程度の厚さのブレードを使用した場合、溝幅が約２０〜３５０μｍで、溝深さが約５０〜５００μｍ程度の溝１ｇ，１’ｇが形成され、これらの溝１ｇ，１’ｇが形成されていない残りの領域（凸条部）は、幅（Ｗ）が約５０〜３００μｍで、高さが約５０〜５００μｍ（溝の深さと同一）の平行なリブ状となっている。
【００４９】
そして、上記直線状の各溝１ｇ，１’ｇが形成された２枚の基板１，１’は、一方の基板１’を下側の他方の基板１に対して水平に９０°回転させた状態（すなわち、下側の基板１と上側の基板１’における「溝」の延長方向の位相が９０°異なる状態）で、これらの基板１，１’を重ね合わせることにより、図８（ｂ）および図９（ａ），（ｂ）に示す、３つの態様のマイクロミラーアレイＭ１，Ｍ２，Ｍ３が形成される。
【００５０】
なお、重ね合わせの際、上記のように下側の基板１と上側の基板１’における溝方向の位相が９０°異なることから、同じ形状に形成された基板１と基板１’の各溝１ｇ，１’ｇは、その連続方向が平面視互いに直交する配置〔立体的には「ねじれの位置」〕になる。この状態において、上記各マイクロミラーアレイＭ１，Ｍ２，Ｍ３を基板表裏方向（上下方向）から見た場合、上側の基板１’の各溝１’ｇと下側の基板１の各溝１ｇとが、平面視互いに直交する格子状になっており、これらの交差箇所それぞれに、上側の基板１’の各溝１’ｇの光反射性の垂直面（第２の鏡面）と、下側の基板１の各溝１ｇの光反射性の垂直面（第１の鏡面）とからなるコーナーリフレクタ〔上下方向に離間した２面コーナーリフレクタ〕が形成される。
【００５１】
図８（ｂ）に示すマイクロミラーアレイＭ１は、上記のようにして構成したものであり、同じ形状の２枚の光学素子（基板１，１’）を用いて、上側の一方の基板１’を表裏反転させ、この基板１’を下側の他方の基板１に対して９０°回転させた状態で、上側の基板１’における溝１’ｇが形成されたおもて面１’ａを、下側の基板１における溝１ｇが形成されたおもて面１ａに当接させ、各基板１，１’上に設けられた各溝１ｇと溝１’ｇの延びる方向が平面視互いに直交するように、これら基板１，１’どうしを上下に重ね合わせて構成したものである〔前記（Ｘ）の態様〕。
【００５２】
また、図９（ａ）に示すマイクロミラーアレイＭ２は、上記２枚の光学素子（基板１，１’）を用いて、各基板１，１’上に設けられた各溝１ｇと溝１’ｇの延びる連続方向が平面視互いに直交するように、上側の一方の基板１’を下側の他方の基板１に対して９０°回転させた状態で、下側の基板１における溝１ｇが形成されたおもて面１ａに、上側の基板１’における溝１’ｇが形成されていない裏面１’ｂを当接させ、これら基板１，１’どうしを上下に重ね合わせることにより、一組のアレイＭ２として構成されている〔前記（Ｙ）の態様〕。なお、各基板１，１’の溝１ｇと溝１’ｇとが、図示下側を向くように重ね合わせても、同じ構成のマイクロミラーアレイを得ることができる。
【００５３】
さらに、図９（ｂ）に示すマイクロミラーアレイＭ３は、上記２枚の光学素子（基板１，１’）を用いて、下側の一方の基板１’を表裏反転させ、この基板１’を上側の他方の基板１に対して９０°回転させた状態で、上側の基板１の裏面１ｂと下側の基板１’の裏面１’ｂとを突き合わせ、各基板１，１’上に設けられた各溝１ｇと溝１’ｇの延びる方向が平面視互いに直交するように、これら基板１，１’どうしを上下に重ねることにより、一組のアレイＭ３として構成されている〔前記（Ｚ）の態様〕。
【００５４】
さらに、図９（ｃ）に示すマイクロミラーアレイＭ４は、前記各マイクロミラーアレイＭ１，Ｍ２，Ｍ３が、直線状の溝（ｇ）が一面に施された２枚の基板１，１’を用いて構成されていたのに対し、このマイクロミラーアレイＭ４は、１枚の基板２（光学素子）で構成されている。すなわち、上記マイクロミラーアレイＭ４は、透明な平板状の基板の上側のおもて面２ａおよび下側の裏面２ｂに、それぞれ、前記の回転刃等を用いたダイシング加工により、互いに平行な直線状の溝２ｇおよび溝２ｇ’が、所定の間隔で複数本形成されており、これらおもて面２ａ側の各溝２ｇと裏面２ｂ側の各溝２ｇ’とは、その形成方向（連続方向）が平面視互いに直交するように配置されている。
【００５５】
前記各実施形態の表示装置に用いるマイクロミラーアレイ（Ｍ）としては、上記マイクロミラーアレイＭ１〜Ｍ４のいずれを用いても差し支えないが、なかでも、図８（ｂ）に示すマイクロミラーアレイＭ１が、アレイへの埃等の付着を防ぐ観点から、最も好適に使用される。
【００５６】
なお、いずれのマイクロミラーアレイＭ１〜Ｍ４を用いた場合でも、従来のマイクロレンズアレイを使用した画像表示装置に比べ、ディスプレイＤから空間像Ｉ’に至る経路（光路）を折り曲げて短縮することが可能である。したがって、上記各マイクロミラーアレイＭ１〜Ｍ４は、情報表示装置のコンパクト化に貢献する。
【産業上の利用可能性】
【００５７】
本発明の情報表示装置は、机上や卓上または食卓（テーブル）の上に載置した献立表等の情報表示体の上に重ねて、これらに関連する映像情報を立体的に投影・表示するデジタルサイネージとして、簡単かつ手軽に利用することができる。また、本発明の情報表示装置は、コンパクトかつ軽量で、携帯性や可搬性に優れ、種々の用途に利用できる。
【符号の説明】
【００５８】
Ｍ  マイクロミラーアレイ
Ｄ  ディスプレイ
Ｄａ  表示面
Ｓ  献立表
Ｉ  画像
Ｉ’  空間像
Ｖ  垂線
１０，２０，３０  筐体
１０ｃ  前側側面
【図１】
0006465378.tif 000002
【図２】
0006465378.tif 000003
【図３】
0006465378.tif 000004
【図４】
0006465378.tif 000005
【図５】
0006465378.tif 000006
【図６】
0006465378.tif 000007
【図７】
0006465378.tif 000008
【図８】
0006465378.tif 000009
【図９】
0006465378.tif 000010